(57)【要約】【課題】  開口部寸法、内法寸法、内容積を大きく損うことなく、かつ、自重が大きく増大することもなく、防振性、経済性に優れる一般雑貨用のコンテナを提供する。【解決手段】  浮床１８は、汎用コンテナと共通する床梁構造１２に支持される防振材保持部材１４と、防振材保持部材１４に鉛直下方から保持される複数の防振材１６とによって、床梁構造１２に対し下方からフローティング支持される。よって、浮床１８に載置される貨物への振動の伝達を防ぐことが出来る。また、複数の防振材１６は、各防振材１６が浮床１８から受ける荷重が等分布となる位置に配置されていることから、浮床１８の全体にわたり、均一な防振機能を発揮させることが可能となる。  【選択図】      図３
2006117266.tif 000002
【特許請求の範囲】
【請求項１】
汎用コンテナと共通する床梁構造と、該床梁構造に支持される防振材保持部材と、該防振材保持部材に鉛直下方から保持される複数の防振材と、該防振材によって鉛直下方から支持される浮床とを備えることを特徴とするコンテナ。
【請求項２】
前記複数の防振材は、各防振材が前記浮床から受ける荷重が均等となる位置に配置されていることを特徴とする請求項１記載のコンテナ。
【請求項３】
前記浮床と、前記床梁構造に固定され前記浮床を枠状に囲むフレーム部材との間隙に、制振材を配置したことを特徴とする請求項１または２記載のコンテナ。
【請求項４】
前記防振材保持部材は、前記床梁構造の一部を窪ませて形成された防振材の取付座であり、
前記浮床は、前記防振材に直接的に当接する一体のプレートと、該プレートの上面を覆う複数のパネルとからなり、
前記プレートの下面周縁部と前記床梁構造の外周フレームとの間に、弾性シール部材が配置されていることを特徴とする請求項１から３のいずれか１項記載のコンテナ。
【請求項５】
前記防振材保持部材は、前記床梁構造に直付けされかつ外部に対しシールされた、汎用コンテナと共通の床板であり、
前記浮床は、格子状に組まれ前記防振材と直接的に当接する可動梁と、該可動梁の上面を覆い前記防振材と直接的に当接する複数のパネルとからなることを特徴とする請求項１から３のいずれか１項記載のコンテナ。
【発明の詳細な説明】
【技術分野】
【０００１】
本発明は、防振機能を備えたコンテナに関するものである。
【背景技術】
【０００２】
従来から、一般雑貨用コンテナ（汎用コンテナ）が、様々な貨物の輸送に広く用いられている。この汎用コンテナは、周知のように、所定の外形寸法に形成された密閉性を有する荷箱であり、貨物の荷役性を考慮して、２方向の開口を備えるものが多い（例えば、非特許文献１参照。）。
【０００３】
【非特許文献１】「ＭＯＮＴＨＬＹ  かもつ」，社団法人  鉄道貨物協会，平成１３年８月１日，第５１巻，第８号，ｐ．７−９
【発明の開示】
【発明が解決しようとする課題】
【０００４】
ところで、汎用コンテナは、種々のコンテナの中で最も簡単な構造を有するものであることから、安価、軽量であり、なおかつ、規格寸法内で開口部寸法、内法寸法、内容積を最大に確保することが可能である、といった種々の利点を備えている。
しかしながら、一般雑貨の中には、搬送時において防振性が望まれるもの（例えば、ロール紙等）もあることから、上述した汎用コンテナの種々の利点を損うことなく、比較的簡易に、汎用コンテナに防振機能を持たせることが望まれていた。
本発明は上記課題に鑑みてなされたものであり、その目的とするところは、開口部寸法、内法寸法、内容積を大きく損うことなく、かつ、自重が大きく増大することもなく、防振性、経済性に優れる一般雑貨用のコンテナを提供することにある。
【課題を解決するための手段】
【０００５】
上記課題を解決するための、本発明に係るコンテナは、汎用コンテナと共通する床梁構造と、該床梁構造に支持される防振材保持部材と、該防振材保持部材に鉛直下方から保持される複数の防振材と、該防振材によって鉛直下方から支持される浮床とを備えることを特徴とするものである。
本発明によれば、浮床は、汎用コンテナと共通する床梁構造に支持される防振材保持部材と、該防振材保持部材に鉛直下方から保持される複数の防振材とによって、床梁構造に対し下方からフローティング支持されることから、浮床に載置される貨物への振動の伝達を防ぐことが出来る。
【０００６】
また、前記複数の防振材は、各防振材が前記浮床から受ける荷重が均等となる位置に配置されていることから、浮床の全体にわたり、均一な防振機能を発揮させることが可能となる。
また、前記浮床と、前記床梁構造に固定され前記浮床を枠状に囲むフレーム部材との間隙に、制振材を配置することによって、浮床に対し、防振材による主に上下方向の振動減衰機能のみならず、制振材による前後左右方向の振動減衰機能を十分に与えることが可能となる。
【０００７】
また、本発明において、前記防振材保持部材は、前記床梁構造の一部を窪ませて形成された防振材の取付座であり、前記浮床は、前記防振材に直接的に当接する一体のプレートと、該プレートの上面を覆う複数のパネルとからなり、前記プレートの下面周縁部と前記床梁構造の外周フレームとの間に、弾性シール部材が配置されていることが望ましい。
この構成によれば、汎用コンテナと共通する床梁構造の一部を窪ませて形成された防振材の取付座によって、防振材を保持し、なおかつ、該防振材を一体のプレートに直接的に当接させることにより、浮床に防振性を与えることが可能となる。また、プレートの上面を複数のパネルで覆うことにより、浮床の内装が完備される。さらに、プレートの下面周縁部と床梁構造の外周フレームとの間に、弾性シール部材を配置していることから、浮床をフローティング支持する床構造の採用によって、コンテナ室内とコンテナ外部との密閉性が阻害されることはない。
【０００８】
また、本発明において、前記防振材保持部材は、前記床梁構造に直付けされかつ外部に対しシールされた、汎用コンテナと共通の床板であり、前記浮床は、格子状に組まれ前記防振材と直接的に当接する可動梁と、該可動梁の上面を覆い前記防振材と直接的に当接する複数のパネルとからなることとしてもよい。
本発明によれば、前記防振材保持部材は、前記床梁構造に直付けされかつ外部に対しシールされた、汎用コンテナと共通の床板であることから、コンテナ室内とコンテナ外部との密閉性は確保された状態にある。そして、浮床は、格子状に組まれた可動梁と、該可動梁の上面を覆う複数のパネルとからなり、可動梁および複数のパネルの双方に対し、汎用コンテナと共通の床板によって鉛直下方から保持される複数の防振材が直接的に当接することにより、浮床に防振性を与えることが可能となる。また、プレートの上面を複数のパネルで覆うことにより、浮床の内装が完備される。
なお、複数のパネルは、格子状に組まれた可動梁によって整列され、互いに凹凸を生じることなく一体化された状態で、防振材にフローティング支持される。
【発明の効果】
【０００９】
本発明はこのように構成したので、コンテナの開口部寸法、内法寸法、内容積を大きく損うことなく、かつ、自重が大きく増大することもなく、防振性、経済性に優れた一般雑貨用のコンテナを提供することが可能となる。
【発明を実施するための最良の形態】
【００１０】
以下、本発明を実施するための最良の形態を、添付図面に基づいて説明する。（なお、従来技術と同一部分若しくは相当する部分については同一符号で示し、詳しい説明を省略する。
【００１１】
図１には、本発明の実施の形態に係るコンテナ１０を示している。コンテナ１０の外観は、従来の汎用コンテナと何ら変わることなく、かつ、コンテナの荷役作業用の機材や、コンテナに対する貨物の荷役作業自体も、従来の汎用コンテナと同様である。また、構成部品も、基本的に従来の汎用コンテナと変わるものではない。
ここで、図２〜図５を参照しながら、本発明の第１の実施の形態に係るコンテナの床構造を説明する。
【００１２】
コンテナ１０は、従来の汎用コンテナと共通する床梁構造１２を備えている。また、この床梁構造１２に支持される防振材保持部材１４と、防振材保持部材１４に鉛直下方から保持される複数の防振材１６と、防振材１６によって鉛直下方から支持される浮床１８とを備えている。なお、図２の例では、複数の防振材１６は、各防振材１６が浮床１８から受ける荷重が均等となる位置に配置されており、全て同一のものが３６箇所に設けられている。また、当然に、防振材１６を鉛直下方から保持する防振材保持部材１４も、各防振材１６が受ける荷重が均等となるような所定位置に設けられている。
なお、本実施の形態では、防振材保持部材１４は、床梁構造１２の一部を窪ませて形成された防振材の取付座である。また、防振材１６は、円筒状のゴムブッシュであり、その上下端部には、金属製の取付フランジが加硫接着されたものである。さらに、浮床１８は、平面視した状態で矩形の一体をなすプレート２０と、プレート２０の上面を覆う複数のパネル２２とで構成されている。このプレート２０は、鋼鈑をプレス成形して得られるものであり、防振材１６に対し直接的に当接する凹溝２０ａを備えている。したがって、防振材１６とプレート２０とを固定するためのボルト２４は凹溝２０ａの内部に納まり、プレート２０の上面からボルト２４が突出することはない。
【００１３】
また、パネル２２は、コンテナ１０の内装として一般的に用いられているベニヤ合板等の、木質パネルであり、なおかつ、従来の汎用コンテナの床材と同様に、ＪＩＳ規格等によって寸法が定められた木質パネルを、そのまま採用することが可能である。さらに、プレート２０の下面周縁部と、床梁構造１２の外周フレーム２６との間には、弾性シール部材２８が配置されている。弾性シール部材２８は、帯状の防水気密ゴムであり、外周フレーム２６と弾性シール部材２８との密着面（シール面）が、プレート２０の下面外周端に沿って帯状に連続することによって、コンテナ室内とコンテナ外部との密閉性が確保されている。
さらに、浮床１８と、床梁構造１２に固定され浮床１８を枠状に囲むフレーム部材３０との間隙Ｓには、図５に拡大して示すように、制振材３２が配置されている。この制振材３２は、板状のゴム製のものが用いられている。また、荷崩れ防止用のストラップを掛け回すラッシングリング３４は、浮床１８の上面外周端に設けられていることから、浮床１８がいわゆるフローティング支持された状態であるにもかかわらず、浮床１８に載置される貨物とラッシングリング３４との相対位置が変化することは無く、よって、ストラップが弛むような不具合は生じない。また、浮床１８上に貨物を載置した状態で、浮床１８の上面とフレーム部材３０の上面とが同一の高さとなるように、防振材１６等の各構成部材の厚みが決定されていることが望ましい。
【００１４】
上記構成をなす、本発明の第１の実施の形態によれば、次のような作用効果を得ることが可能となる。まず、浮床１８は、汎用コンテナと共通する床梁構造１２に支持される防振材保持部材１４と、防振材保持部材１４に鉛直下方から保持される複数の防振材１６とによって、床梁構造１２に対し下方からフローティング支持されることから、浮床１８に載置される貨物への振動の伝達を防ぐことが出来る。
また、複数の防振材１６は、各防振材１６が浮床１８から受ける荷重が均等となる位置に配置されていることから、浮床１８の全体にわたり、均一な防振機能を発揮させることが可能となる。しかも、浮床１８と、床梁構造１２に固定され浮床１８を枠状に囲むフレーム部材３０との間隙Ｓに、制振材３２を配置することによって、浮床１８に対し、防振材１６による主に上下方向の振動減衰機能のみならず、制振材３２による前後左右方向の振動減衰機能を、十分に与えることが可能となる。
【００１５】
なお、本実施の形態では、汎用コンテナと共通する床梁構造１２の、一部を窪ませることにより形成された防振材の取付座１４によって、防振材１６を保持し、かつ、防振材１６を、浮床の矩形の一体をなすプレート２０に直接的に当接させることにより、浮床１８に防振性を与えている。また、プレート２０の上面を複数のパネル２２で覆うことにより、浮床の内装が完備される。さらに、プレート２０の下面周縁部と床梁構造１２の外周フレーム２６との間に、弾性シール部材２８を配置していることから、浮床１８をフローティング支持する床構造の採用によって、コンテナ室内とコンテナ外部との密閉性が阻害されることはない。したがって、本実施の形態に係るコンテナ１０は、防振機能を備えつつ、従来の汎用コンテナと同様の貨物保全機能（密閉性）が確保されている。
なお、本発明の第１の実施の形態に係るコンテナと、従来の汎用コンテナとの数値的比較によれば、内法寸法および開口寸法は、床梁構造１２の外周フレーム２６の上面から、浮床１８の上面までの高さの分だけ減少するに留まるものである。また、自重についても、１０％程度の増加に抑えられている。
【００１６】
続いて、本発明の第２の実施の形態に係るコンテナ床構造を、図６〜図９を参照しながら説明する。ここで、本発明の第１の実施の形態に係るコンテナと同一部分、若しくは相当する部分については同一符号で示し、詳しい説明を省略する。
まず、本実施の形態に係るコンテナ４０についても、その外観は、従来の汎用コンテナと何ら変わることなく（図１参照）、コンテナの荷役作業用機材、荷役作業も従来の汎用コンテナと同様である。また、構成部品も、基本的に従来の汎用コンテナと変わるところがない点は、本発明の第１の実施の形態と同じである。
また、コンテナ４０は、その床梁構造においても、従来の汎用コンテナと共通する床梁構造１２を備えている。そして、この床梁構造１２に支持される防振材保持部材４２と、防振材保持部材４２に鉛直下方から保持される複数の防振材４４と、防振材４２によって鉛直下方から支持される浮床４６とを備えている。なお、図６の例においても、複数の防振材４４は、各防振材４４が浮床４６から受ける荷重が均等となる位置に配置されており、合計で９１箇所に設けられている。
【００１７】
なお、本実施の形態では、防振材保持部材４２は、床梁構造１２に直付けされかつ外部に対しシールされた、汎用コンテナと共通の床板４２である。また、図示の例では、浮床４２の面積を最大限に確保するために、床梁構造１２の外周フレーム２６も、防振材保持部材として用いられている。なお、防振材４４には、ゴムパッドが用いられている。
また、浮床４６は、格子状に組まれた可動梁４８と、可動梁４８の上面を覆う複数（３枚）のパネル５０とで構成されている。可動梁４８は長尺の板材であり、幅方向の両端部が切り起こされた形状（図８参照）を有している。そして、パネル５０には、第１の実施の形態に係るパネル２２と同様の、木質パネルが採用されている。さらに、可動梁４８、パネル５０の何れも、防振材４４と直接的に当接するものである。ここで、可動梁４８の直下、および、ラッシングリング３４をパネル５０に固定するプレート３３（図７）の直下に位置する防振材４４Ａは、パネル５０と直接的に当接する防振材４４Ｂに対し、可動梁４８およびプレート３３の厚みの分だけ薄いものが採用されている。
さらに、図９に拡大して示すように、浮床４６と、床梁構造１２に固定され浮床４６を枠状に囲むフレーム部材５２との間隙Ｓには、板状のゴム製の制振材５４が配置されている。制振材５４は、パネル５０の上面周縁部から側面部へと巻き込むように取付られ、さらに、フレーム部材５２に固定された断面Ｌ字状のストッパ５６によって正確に位置決めされることで、浮床４６の前後左右方向の防振機能を高めている。なお、浮床４６上に貨物を載置した状態で、浮床４６の上面とストッパ５６の上面とが同一の高さとなるように、防振材４４等の各構成部材の厚みが決定されていることが望ましい。
【００１８】
さて、上記構成を有する本発明の第２の実施の形態によれば、防振材保持部材４２が、床梁構造１２に直付けされかつ外部に対しシールされた、汎用コンテナと共通の床板であることから、コンテナ室内とコンテナ外部との密閉性は確保された状態にある。そして、浮床４６は、格子状に組まれた可動梁４８と、可動梁４８の上面を覆う複数のパネル５０とからなり、可動梁４８および複数のパネル５０の双方に対し、床板４２によって鉛直下方から保持される複数の防振材４４（４４Ａ、４４Ｂ）が、直接的に当接することにより、浮床４６に防振性を与えることが可能となる。すなわち、本実施の形態においても、浮床４６は、床梁構造１２に対し下方からフローティング支持されることから、浮床４６に載置される貨物への振動の伝達を防ぐことが出来る。
ラッシングリング３４についても、パネル５０に固定されたプレート３３に軸着されていることから、浮床４６がいわゆるフローティング支持された状態であるにもかかわらず、浮床４６に載置される貨物とラッシングリング３４との相対位置が変化することは無く、よって、ストラップが弛むような不具合は生じない。その他、本発明の第１の実施の形態に係るコンテナと同様の作用効果については、詳しい説明を省略する。
【００１９】
なお、本発明の第２の実施の形態において、複数のパネル５０は、格子状に組まれた可動梁４８によって整列され、互いに凹凸を生じることなく一体化された状態で、防振材４４にフローティング支持されている。また、本発明の第２の実施の形態に係るコンテナ４０と、従来の汎用コンテナとの数値的比較によれば、内法寸法および開口寸は、床梁構造１２の外周フレーム２６の上面から、浮床４６の上面までの高さの分だけ減少するに留まるものである。また、自重についても、６％程度の増加に抑えられている。
さらに、本発明の第２の実施の形態によれば、既存の汎用コンテナに対しても、荷室床面に、防振材４４、浮床４６、フレーム部材５２、制振材５４、ストッパ５６を取り付けることで、防振機能を付加することも可能である。
【図面の簡単な説明】
【００２０】
【図１】本発明の第１の実施の形態に係るコンテナの側面図である。
【図２】図１のＡ−Ａ線における断面図である。
【図３】図２のＢ−Ｂ線における断面を一部省略して示した図である。
【図４】図２のＣ−Ｃ線における断面を一部省略して示した図である。
【図５】図４の一部拡大図である。
【図６】本発明の第２の実施の形態に係るコンテナの横断面図である。
【図７】図６のＤ−Ｄ線における断面を一部省略して示した図である。
【図８】図６のＥ−Ｅ線における断面を一部省略して示した図である。
【図９】図８の一部拡大図である。
【符号の説明】
【００２１】
１０、４０：コンテナ、  １２：床梁構造、  １４、４２：防振材保持部材、  １６、４４：防振材、  １８、４６：浮床、２０：プレート、  ２２、５０：パネル、２６：外周フレーム、２８：弾性シール部材、  ３０、５２：フレーム部材、  ３２、５４：制振材、４２：防振材保持部材、４４：防振材、４６：浮床、  ４８：可動梁
【図１】
2006117266.tif 000003
【図２】
2006117266.tif 000004
【図３】
2006117266.tif 000005
【図４】
2006117266.tif 000006
【図５】
2006117266.tif 000007
【図６】
2006117266.tif 000008
【図７】
2006117266.tif 000009
【図８】
2006117266.tif 000010
【図９】
2006117266.tif 000011